(57)【要約】【課題】誤った宛先にファクシミリデータが送信されるのを抑制することができるファクシミリ装置を提供すること。【解決手段】ＵＳＢメモリに記憶されているファイルに対応つけて記憶されている電話番号と、テンキーを介して入力された電話番号とが一致しない場合には（Ｓ３０９：Ｎｏ）、たとえ、ＵＳＢメモリ内のファイルに電話番号が対応つけて記憶されていたとしても、そのファイルは送信されないので、誤った宛先にファイルが送信されるのが抑制される。【選択図】図３
2008141441.tif 000002
【特許請求の範囲】
【請求項１】
外部記憶媒体と接続可能な接続手段と、使用者からの指示を入力する入力手段と、宛先によって特定される相手側装置にファクシミリデータを送信する送信手段とを備えたファクシミリ装置において、
前記入力手段を介して使用者から指示された宛先を取得する第１取得手段と、
前記接続手段に接続された前記外部記憶媒体に記憶されたファクシミリデータに対応付けられた宛先と、前記第１取得手段によって取得した宛先と、が一致するかを判断する第１宛先判断手段と、
その第１宛先判断手段によって一致すると判断した宛先に対応付けられたファクシミリデータを、その宛先に前記送信手段によって送信させる送信制御手段とを備えていることを特徴とするファクシミリ装置。
【請求項２】
前記外部記憶媒体に記憶されているファクシミリデータを前記送信手段によって送信した場合に、前記外部記憶媒体に記憶されているファクシミリデータに送信済であることを示す送信済情報を付与する送信済情報付与手段を備え、
前記送信制御手段は、前記第１宛先判断手段によって一致すると判断した宛先に対応付けられたファクシミリデータのうち、前記送信済情報が付与されていないファクシミリデータを送信させることを特徴とする請求項１に記載のファクシミリ装置。
【請求項３】
前記外部記憶媒体に記憶されているファクシミリデータには、そのファクシミリデータを作成した日時を示す日時情報が対応つけて記憶されており、
前記第１宛先判断手段によって一致すると判断した宛先に対応付けられたファクシミリデータが複数存在するかを判断する第１判断手段を備え、
前記送信制御手段は、前記第１判断手段によってファクシミリデータが複数存在すると判断した場合、前記日時情報が最新であるファイルデータを他のファイルデータよりも優先して送信させることを特徴とする請求項１又は２に記載のファクシミリ装置。
【請求項４】
前記第１取得手段によって取得した宛先の相手側装置が前記ファクシミリデータを受信可能な状態か否かを判断する第２判断手段と、
その第２判断手段によって前記相手側装置が前記ファクシミリデータを受信不可能な状態であると判断した場合に、前記第１宛先判断手段によって一致すると判断した宛先に対応付けられたファクシミリデータを内部記憶媒体に記憶するファクシミリデータ記憶手段と、
そのファクシミリデータ記憶手段に記憶されているファクシミリデータを前記相手側装置に送信する場合に、前記入力手段を介して使用者から指示された宛先を取得する第２取得手段と、
前記ファクシミリデータ記憶手段に記憶されているファクシミリデータに対応付けられた宛先と、前記第２取得手段によって取得した宛先と、が一致するかを判断する第２宛先判断手段とを備え、
前記送信制御手段は、前記ファクシミリデータ記憶手段に記憶されているファクシミリデータを前記相手側装置に送信する場合には、前記第２宛先判断手段によって一致すると判断されたファクシミリデータを送信させることを特徴とする請求項１から３のいずれかに記載のファクシミリ装置。
【請求項５】
使用者からの指示を入力する入力手段と、原稿に記録されている情報を読取る読取手段と、その読取手段によって読取った情報をファクシミリデータとして宛先によって特定される相手側装置に送信する送信手段とを備えたファクシミリ装置において、
前記入力手段を介して使用者から指示された宛先を取得する第１取得手段と、
その第１取得手段で取得した宛先の確認用として前記入力手段を介して使用者から指示された宛先を再び取得する第２取得手段と、
前記第１取得手段によって取得した宛先と前記第２取得手段によって取得した宛先とが一致するかを確認するする確認手段と、
その確認手段によって前記宛先が一致すると確認された場合に、その宛先に前記ファクシミリデータを前記送信手段によって送信させる送信制御手段とを備えている。
【請求項６】
宛先を記憶する宛先記憶手段と、
その宛先記憶手段に記憶されている宛先を使用者が選択可能に表示する表示手段と、を備え、
前記第１取得手段は、前記表示手段に表示される宛先から、使用者が所定の宛先を選択することで取得する第１宛先取得手段と、前記入力手段を介して使用者が宛先を直接入力する第２宛先取得手段と、があり、
前記確認手段は、前記第１取得手段によって取得した宛先が、前記第２宛先取得手段によって直接入力されたと検出された場合に実行されることを特徴とする請求項５に記載のファクシミリ装置。
【請求項７】
前記第１取得手段により取得した宛先と、前記第２取得手段により取得した宛先と、を使用者が選択可能に表示する宛先表示手段、を備え、
前記送信制御手段は、前記確認手段により宛先が一致しないと確認された場合に、前記宛先表示手段に表示された宛先のうち、前記使用者により選択された宛先に、前記ファクシミリデータを送信させることを特徴とする請求項５又は６に記載のファクシミリ装置。
【発明の詳細な説明】
【技術分野】
【０００１】
本発明は、使用者から指示された宛先にファクシミリデータを送信するファクシミリ装置に関するものである。
【背景技術】
【０００２】
従来より、使用者から指示された相手側装置に、ファクシミリデータを送信するファクシミリ装置が知られている。このファクシミリ装置に関し、次の特許文献１には、ファクシミリ装置１００１にメモリカード２００５が挿入された場合、そのメモリカード２００５に記憶されているディレクトリ４００１の中から、電話番号をディレクトリ名４００４に持つディレクトリ４００３を抽出し、その抽出したディレクトリ４００３の電話番号によって特定される相手側装置に、その抽出したディレクトリ４００３内のファイルを送信する技術が記載されている。
【特許文献１】特開２００６−１２１５７３号公報（段落第０００６、００３３、図５）
【発明の開示】
【発明が解決しようとする課題】
【０００３】
しかしながら、上述した特許文献１に記載されている技術では、ディレクトリ名４００４としての電話番号に誤りがあった場合、ファイルが誤った相手に送信されてしまうという問題点があった。
【０００４】
本発明は上述した問題点を解決するためになされたものであり、誤った宛先にファクシミリデータが送信されるのを抑制することができるファクシミリ装置を提供することを目的としている。
【課題を解決するための手段】
【０００５】
この目的を達成するために、請求項１記載のファクシミリ装置は、外部記憶媒体と接続可能な接続手段と、使用者からの指示を入力する入力手段と、宛先によって特定される相手側装置にファクシミリデータを送信する送信手段とを備えたものであって、前記入力手段を介して使用者から指示された宛先を取得する第１取得手段と、前記接続手段に接続された前記外部記憶媒体に記憶されたファクシミリデータに対応付けられた宛先と、前記第１取得手段によって取得した宛先と、が一致するかを判断する第１宛先判断手段と、その第１宛先判断手段によって一致すると判断した宛先に対応付けられたファクシミリデータを、その宛先に前記送信手段によって送信させる送信制御手段とを備えている。
【０００６】
請求項２記載のファクシミリ装置は、請求項１に記載のファクシミリ装置において、前記外部記憶媒体に記憶されているファクシミリデータを前記送信手段によって送信した場合に、前記外部記憶媒体に記憶されているファクシミリデータに送信済であることを示す送信済情報を付与する送信済情報付与手段を備え、前記送信制御手段は、前記第１宛先判断手段によって一致すると判断した宛先に対応付けられたファクシミリデータのうち、前記送信済情報が付与されていないファクシミリデータを送信させる。
【０００７】
請求項３記載のファクシミリ装置は、請求項１又は２に記載のファクシミリ装置において、前記外部記憶媒体に記憶されているファクシミリデータには、そのファクシミリデータを作成した日時を示す日時情報が対応つけて記憶されており、前記第１宛先判断手段によって一致すると判断した宛先に対応付けられたファクシミリデータが複数存在するかを判断する第１判断手段を備え、前記送信制御手段は、前記第１判断手段によってファクシミリデータが複数存在すると判断した場合、前記日時情報が最新であるファイルデータを他のファイルデータよりも優先して送信させる。
【０００８】
請求項４記載のファクシミリ装置は、請求項１から３のいずれかに記載のファクシミリ装置において、前記第１取得手段によって取得した宛先の相手側装置が前記ファクシミリデータを受信可能な状態か否かを判断する第２判断手段と、その第２判断手段によって前記相手側装置が前記ファクシミリデータを受信不可能な状態であると判断した場合に、前記第１宛先判断手段によって一致すると判断した宛先に対応付けられたファクシミリデータを内部記憶媒体に記憶するファクシミリデータ記憶手段と、そのファクシミリデータ記憶手段に記憶されているファクシミリデータを前記相手側装置に送信する場合に、前記入力手段を介して使用者から指示された宛先を取得する第２取得手段と、前記ファクシミリデータ記憶手段に記憶されているファクシミリデータに対応付けられた宛先と、前記第２取得手段によって取得した宛先と、が一致するかを判断する第２宛先判断手段とを備え、前記送信制御手段は、前記ファクシミリデータ記憶手段に記憶されているファクシミリデータを前記相手側装置に送信する場合には、前記第２宛先判断手段によって一致すると判断されたファクシミリデータを送信させる。
【０００９】
請求項５記載のファクシミリ装置は、使用者からの指示を入力する入力手段と、原稿に記録されている情報を読取る読取手段と、その読取手段によって読取った情報をファクシミリデータとして宛先によって特定される相手側装置に送信する送信手段とを備えたものであって、前記入力手段を介して使用者から指示された宛先を取得する第１取得手段と、その第１取得手段で取得した宛先の確認用として前記入力手段を介して使用者から指示された宛先を再び取得する第２取得手段と、前記第１取得手段によって取得した宛先と前記第２取得手段によって取得した宛先とが一致するかを確認するする確認手段と、その確認手段によって前記宛先が一致すると確認された場合に、その宛先に前記ファクシミリデータを前記送信手段によって送信させる送信制御手段とを備えている。
【００１０】
請求項６記載のファクシミリ装置は、請求項５に記載のファクシミリ装置において、宛先を記憶する宛先記憶手段と、その宛先記憶手段に記憶されている宛先を使用者が選択可能に表示する表示手段と、を備え、前記第１取得手段は、前記表示手段に表示される宛先から、使用者が所定の宛先を選択することで取得する第１宛先取得手段と、前記入力手段を介して使用者が宛先を直接入力する第２宛先取得手段と、があり、前記確認手段は、前記第１取得手段によって取得した宛先が、前記第２宛先取得手段によって直接入力されたと検出された場合に実行される。
【００１１】
請求項７記載のファクシミリ装置は、請求項５又は６に記載のファクシミリ装置において、前記第１取得手段により取得した宛先と、前記第２取得手段により取得した宛先と、を使用者が選択可能に表示する宛先表示手段、を備え、前記送信制御手段は、前記確認手段により宛先が一致しないと確認された場合に、前記宛先表示手段に表示された宛先のうち、前記使用者により選択された宛先に、前記ファクシミリデータを送信させる。
【発明の効果】
【００１２】
請求項１記載のファクシミリ装置によれば、宛先と対応つけて外部記憶媒体に記憶されているファクシミリデータは、そのファクシミリデータに対応つけられている宛先が、第１取得手段によって取得した宛先と一致すると判断された場合に送信される。入力手段を介して取得した宛先と比較することで、ファクシミリデータに対応付けられた宛先が、送信先として正しい宛先であるか確認できるので、誤った宛先にファクシミリデータが送信されるのを抑制することができるという効果がある。
【００１３】
請求項２記載のファクシミリ装置によれば、請求項１に記載のファクシミリ装置の奏する効果に加え、第１取得手段によって取得した宛先と一致する宛先に対応付けられたファクシミリデータは、そのなかから、送信済であることを示す送信済情報が付与されていないファクシミリデータが送信される。よって、ファクシミリデータが重複して送信されるのを防止することができるという効果がある。
【００１４】
請求項３記載のファクシミリ装置によれば、請求項１又は２に記載のファクシミリ装置の奏する効果に加え、第１取得手段によって取得した宛先と一致する宛先に対応付けられたファクシミリデータが複数ある場合、そのなかから、ファクシミリデータを作成した日時情報が最新であるファクシミリデータが他のファクシミリデータよりも優先して送信される。一般的に、最近に作成したファクシミリデータが、送信したいファクシミリデータであることが多いため、そのファクシミリデータを他のファクシミリデータよりも優先して送信することで、ユーザの所望するファクシミリデータを速やかに送信することができるという効果がある。
【００１５】
請求項４記載のファクシミリ装置によれば、請求項１から３のいずれかに記載のファクシミリ装置の奏する効果に加え、第１取得手段によって取得した宛先の相手側装置がファクシミリデータを受信不可能な状態である場合、第１取得手段によって取得した宛先と一致する宛先に対応付けられているファクシミリデータは、内部記憶媒体に記憶される。そして、その内部記憶媒体に記憶されたファクシミリデータを前記相手側装置に送信する場合には、そのファクシミリデータに対応つけられている宛先が、第２取得手段によって取得した宛先と一致すると判断された場合に送信される。
【００１６】
内部記憶媒体に記憶されているファクシミリデータが多数ある場合であっても、第２取得手段によって取得した宛先と一致すると判断された場合に、そのファクシミリデータを送信するため、内部記憶媒体から所定のファクシミリデータを探す手間を省くことができ、さらに、そのファクシミリデータや宛先を誤って選択してしまうことを抑制することができる。
【００１７】
請求項５記載のファクシミリ装置によれば、読取手段によって読取った情報は、第１取得手段によって取得した宛先が、第２取得手段によって取得した宛先と一致すると確認された場合にファクシミリデータとして送信される。第１取得手段により取得した宛先と、第２取得手段で再入力により取得した宛先とを比較することで、ファクシミリデータに対応付けられた宛先が、送信先として正しい宛先であるか確認できるので、誤った宛先にファクシミリデータが送信されるのを抑制することができるという効果がある。
【００１８】
請求項６記載のファクシミリ装置によれば、請求項５に記載のファクシミリ装置の奏する効果に加え、第１取得手段によって取得した宛先が、第２取得手段によって取得した宛先と一致するかの確認は、第１取得手段によって取得した宛先が、入力手段を介して使用者が宛先を直接入力した場合に実行される。一般的に、使用者が宛先を指定する場合、予め記憶されている宛先の中から選択して、指定するよりも、入力手段を介して使用者が宛先を直接入力した場合に、誤りが発生すること多いので、かかる場合に、第１取得手段によって取得した宛先が、本当に正しいのかを確認することで、より効果的に誤った宛先にファクシミリデータが送信されるのを抑制することができる。
【００１９】
請求項７記載のファクシミリ装置によれば、請求項５又は６に記載のファクシミリ装置の奏する効果に加え、第１取得手段によって取得した宛先が、第２取得手段によって取得した宛先と一致しないと確認された場合には、第１取得手段により取得した宛先と、第２取得手段により取得した宛先とは、宛先表示手段によって、使用者が選択可能に表示され、読取手段によって読取った情報は、使用者により選択された宛先にファクシミリデータとして送信される。よって、第１取得手段による宛先の取得からやり直すといった煩わしい操作もなく、いずれの宛先が正しいかを確認した上で、正しい宛先にファクシミリデータを送信することができるという効果がある。
【発明を実施するための最良の形態】
【００２０】
以下、本発明の好ましい実施例について、添付図面を参照して説明する。図１は、本発明（ファクシミリ装置）の実施例としての複合機１の外観構成を示す斜視図である。複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００２１】
また、複合機１は、ＵＳＢメモリ、デジタルカメラ、パーソナルコンピュータ等の外部装置と接続されて外部装置から受け取ったデータを記録用紙に記録したり、操作パネル４上の液晶ディスプレイ（ＬＣＤ：Ｌｉｑｕｉｄ  Ｃｒｙｓｔａｌ  Ｄｉｓｐｌａｙ）４１に表示する機能をも有している。なお、本発明を適用するうえで、上記した全ての機能が複合機１に備えられている必要はない。
【００２２】
スキャナ３は、ＦＢＳ（Ｆｌａｔｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下「ＡＤＦ」という。）７を備えた原稿カバー８が、取り付けられてなる。原稿読取台６の上面にはプラテンガラスが配設されており、原稿読取台６の内部には、図示しない画像読取ユニットが内蔵されている。このように構成されたスキャナ３では、ＦＢＳあるいはＡＤＦを用いて原稿の画像読取りが行われる。
【００２３】
プリンタ２は、スキャナ３で読み取られた画像データ或いは外部から入力された画像データに基づいて、選択的にインク滴を吐出することによって、記録用紙上に画像を記録する所謂インクジェット方式の画像記録装置（インクジェット記録装置）である。上記インクジェット方式はプリンタ２による画像記録方式の単なる一例であり、電子写真方式や熱転写方式などの種々の画像記録方式を採用することができるのはもちろんである。
【００２４】
複合機１の正面側、換言すれば、プリンタ２の正面側には開口５が形成されている。この開口５内に給紙トレイ１４及び排紙トレイ１５が内包されるように設けられている。
【００２５】
複合機１の正面側には、操作パネル４が設けられている。操作パネル４は、プリンタ２やスキャナ３を操作するためのものであり、各種操作キー４０とＬＣＤ４１とを備えている。各種操作キー４０には、ＬＣＤ４１の右方に配置された複数のモード選択キーと、ＬＣＤ４１の左方に配置されたテンキーとが含まれる。複数のモード選択キーの一つがユーザによって押下されるとファクシミリモードに設定され、テンキーによってファクシミリデータを送信する相手側装置の電話番号が入力される。また、ＬＣＤ４１の表面には、接触センサが組み込まれており、ＬＣＤ４１に表示される情報をユーザが選択可能に構成されている。
【００２６】
複合機１に所定の指令が入力されると、その入力された情報に基づいて該複合機１の動作が制御部２０によって制御される。なお、複合機１は、操作パネル４から入力された指令のほか、コンピュータに接続されて該コンピュータからプリンタドライバやスキャナドライバ等を介して送信される指令に基づいて動作するようにシステム構成されている。
【００２７】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出されると、その読み出された画像データや該画像データに関する情報が制御部２０（図２参照）によってＬＣＤ４１に表示される。或いは、選択された任意の画像がプリンタ２において記録用紙に記録される。
【００２８】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００２９】
制御部２０は、図に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００３０】
ＣＰＵ２１は、この複合機１を総括的に制御する中央演算処理であり、ＲＯＭ２４に記憶されているプログラムに沿って動作する。ＲＯＭ２２には、複合機１の各種動作を制御するためのプログラムが格納されている。特に、本実施例では、図３乃至図６に示す各処理を実行させるためのプログラムとして、ファクシミリデータ送信プログラム２２ａが記憶されている。ＲＡＭ２３は、ＣＰＵ２１が上記プログラムを実行する際に用いる各種データを一時的に記録する記憶領域又は作業領域として使用される。ＥＥＰＲＯＭ２４は、宛先メモリ２４ａと、ファクシミリデータメモリ２４ｂとを備えている。宛先メモリ２４ａには、ファクシミリデータを送信する相手側装置の電話番号と、その相手側装置の宛名とが対応つけられた電話帳が記憶されている。ファクシミリデータメモリ２４ｂには、例えば、相手側装置が回線使用中のため、送信できなかったファクシミリデータが記憶されている。
【００３１】
ＡＳＩＣ２６は、ＣＰＵ２１からの指令に従い、プリンタ２、スキャナ３、操作パネル４、及びスロット部７２の動作制御を行なう（例えば、プリンタ２を駆動するモータやインクジェット記録ヘッド、スキャナ３のＡＤＦ７を駆動するモータや画像読取ユニット等の動作を制御する）。プリンタ２、スキャナ３及びスロット部７２は、公知の構成であるので詳細な説明は省略する。
【００３２】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、コンピュータとパラレルケーブル又はＵＳＢケーブルを介してデータの送受信を行なうためのパラレルインタフェース２９（パラレルＩ／Ｆ２９）、ＵＳＢ端子７１、アンプ７を介してスピーカ７４、時計専用のチップであるＲＴＣ（Ｒｅａｌ  Ｔｉｍｅ  Ｃｌｏｃｋ  ）１８が接続されている。尚、ＲＴＣ１８には、電源が切られている間も起動できるように電池１８ａが接続されている。
【００３３】
さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２（ＭＯＤＥＭ３２）が接続されている。ＮＣＵ３１は回線制御を行うためのものであり、電話回線に接続されている。ＮＣＵ３１は、交換機から送信される呼出信号や各種信号を受信するとともに、操作キー４０の操作に応じた発信時のダイヤル信号を交換機へ送信したり、電話回線の閉結時において、アナログ音声信号の送受信などのデータ通信を行うものである。モデム２０は、ファクシミリデータや電子メールデータの変調および復調を実行するものであると共に、伝送制御用の各種手順信号を送受信するものである。ファクシミリデータは、このＮＣＵ３１とＭＯＤＥＭ３２とによってファクシミリ手順に沿って送受信される。
【００３４】
次に、図３乃至図５を参照して、複合機１においてファクシミリデータを送信するファクシミリデータを送信するファクシミリデータ送信処理について説明する。複合機１には、ファクシミリデータ送信処理として、図３に示すＵＳＢメモリ送信処理と、図４に示す再送信処理と、図５に示すスキャナ送信処理とが備えられている。
【００３５】
図３乃至図５に示す各処理は、いずれも、ファクシミリデータ送信プログラム２２ａに従ってＣＰＵ２１よって実行される処理であり、モード選択キーを介してユーザからファクシミリモードの実行が指示され、ＬＣＤ４１に表示されるＵＳＢメモリ送信処理と、再送信処理と、スキャナ送信処理との中から、ユーザがいずれかを選択した場合に実行される処理である。
【００３６】
図３は、ＵＳＢメモリ送信処理を示すフローチャートである。このＵＳＢメモリ送信処理は、ＵＳＢメモリに記憶されているファイルをファクシミリデータとして指示された宛先の相手側装置に送信する処理である。尚、本実施例では、ＵＳＢメモリに記憶されているファイルは、例えば、パーソナルコンピュータなどをユーザが操作することにより作成されたファイルであり、ユーザが入力した宛先としての相手側装置の電話番号と、そのファイルを作成した日時を示す日時情報とが対応つけて記憶されているものとする。また、ＵＳＢ端子７１にＵＳＢメモリが既にセットされていることが確認されているものとする。
【００３７】
この処理では、まず、宛先メモリ２４ａに記憶されている電話帳から電話番号を読み出し（Ｓ３０１）、その読み出した電話番号と一致する電話番号に対応つけられたファイルがＵＳＢメモリ内に存在するかを判断し（Ｓ３０３）、存在していれば（Ｓ３０３：Ｙｅｓ）、一致した全ての電話番号をＬＣＤ４１に表示する（Ｓ３０４）。
【００３８】
そして、ＬＣＤ４１に表示した電話番号の中からユーザが所定の電話番号を選択したかを判断し（Ｓ３０５）、電話番号が選択されたと判断した場合には（Ｓ３０５：Ｙｅｓ）、ユーザから指示された電話番号に対応するファイルが存在するとして、更に、後述するＳ３１０の処理に移行する。ここまでの処理によって、電話帳に記憶されている電話番号と、ＵＳＢメモリに記憶されているファイルに対応つけて記憶されている電話番号との照合を自動的に行うことができ、ＵＳＢメモリに記憶されているファイルに対応つけて記憶されている電話番号が、電話帳に記憶されているはずの電話番号であった場合には、少なくともいずれか一方が誤りであることを認識することができる。尚、Ｓ３０５の処理において、電話番号が選択されない場合には（Ｓ３０５：Ｎｏ）、本処理を終了する。
【００３９】
一方、Ｓ３０３の処理において、読み出した電話番号と一致する電話番号に対応つけられたファイルがＵＳＢメモリ内に存在しないと判断した場合には（Ｓ３０３：Ｎｏ）、ユーザに電話番号の入力を要求する（Ｓ３０６）。例えば、ＬＣＤ４１に「テンキーを利用して送信先の電話番号を直接入力して下さい」というメッセージを表示したり、同様のメッセージをスピーカ７４から出力したりする。
【００４０】
その結果、ユーザからテンキーを介して所定の電話番号が入力されたと判断した場合には（Ｓ３０７：Ｙｅｓ）、その入力された電話番号と一致する電話番号に対応つけられたファイルがＵＳＢメモリ内に存在するかを判断し（Ｓ３０９）、存在していれば（Ｓ３０９：Ｙｅｓ）、ユーザから入力された電話番号に対応したファイルが存在するとして、更に、後述するＳ３１０の処理に移行する。
【００４１】
尚、Ｓ３０７の処理において、電話番号が入力されない場合には（Ｓ３０７：Ｎｏ）、本処理を終了し、また、Ｓ３０９の処理において、入力された電話番号と一致する電話番号に対応つけられたファイルがＵＳＢメモリ内に存在しないと判断した場合には（Ｓ３０９：Ｎｏ）、その旨をユーザに通知した後（Ｓ３２２）、本処理を終了する。
【００４２】
Ｓ３１０の処理では、ユーザから入力された電話番号に対応したファイルのうち、送信可能なファイルが存在するかを判断する（Ｓ３１０）。具体的には、後述するＳ３１５の処理において、ファイルを送信した場合には、ファイルに送信済であることを示す送信済情報を付与するので、ファイルに送信済情報が付与されているかを判断する（Ｓ３１０）。換言すれば、ファイルが送信済か否かを判断する（Ｓ３１０）。尚、ファイルが送信済か否かは、送信したファイルのファイル名と送信日時とを複合機１のＥＥＰＲＯＭ２４に記憶しておき、その情報から送信済か否かを判断するようにしても良い。
【００４３】
その結果、送信可能なファイル（未送信のファイル）が存在していれば（Ｓ３１０：Ｙｅｓ）、更に、その送信可能なファイルが複数存在するかを判断する（Ｓ３１１）。尚、送信可能なファイル（未送信のファイル）が存在していなければ（Ｓ３１０：Ｎｏ）、その旨をユーザに通知して（Ｓ３２２）、本処理を終了する。
【００４４】
Ｓ３１１の処理において、送信可能なファイルが複数存在していれば（Ｓ３１１：Ｙｅｓ）、その中から、最新のファイルを送信対象のファイルとして選択する（Ｓ３１２）。最新のファイルか否かは各ファイルに対応つけて記憶されている日時情報から判断する。このように、複数のファイルから、最近に作成されたファイルを最初に送信対象にするは、一般的に、最近に作成したファイルが、送信したいファイルであることが多いため、そのファイルを他のファイルよりも優先して送信することで、ユーザの所望するファイルを速やかに送信するためである。なお、送信可能なファイルが複数存在する場合は、ユーザにどのファイルを送信するか選択させるような構成にしてもよい。
【００４５】
一方、送信可能なファイルが複数存在していなければ（Ｓ３１１：Ｎｏ）、換言すれば、送信可能なファイルが一つであれば（Ｓ３１１：Ｎｏ）、その一つのファイルを送信対象のファイルとして選択する（Ｓ３１３）。
【００４６】
そして、Ｓ３０５、Ｓ３０７の処理において取得した電話番号の相手側装置の回線が使用中かを判断し（Ｓ３１４）、使用中でなければ（Ｓ３１４：Ｎｏ）、送信対象として選択したファイルを、その相手側装置に送信し、送信したファイルに送信済情報を付与する（Ｓ３１５）。送信したファイルに送信済情報を付与することで、次に、同じＵＳＢメモリからファイルを送信する場合に、重複してファイルが送信されるのを防止することができる。
【００４７】
こうして、一つ目のファイルを送信すると、次に、送信可能なファイルが残っているかを判断し（Ｓ３１６）、残っていれば（Ｓ３１６：Ｙｅｓ）、ユーザに、残っているファイルを送信するかを通知する（Ｓ３１７）。この場合、残っているファイルの内容、或いは、ファイル名をＬＣＤ４１に表示させるようにしても良い。これにより、ユーザは残っているファイルを視覚的に確認することができる。
【００４８】
その通知を受けて、ユーザから残っているファイルを送信するという指示が操作キーを介してあった場合には（Ｓ３１８：Ｙｅｓ）、Ｓ３１２からの処理を繰り返し、送信しないという指示があった場合には（Ｓ３１８：Ｎｏ）、本処理を終了する。尚、残っているファイルを送信する場合には、ＬＣＤ４１に表示したファイルのうち、ユーザが選択したファイルだけを送信するようにしても良い。
【００４９】
一方、Ｓ３１４の処理において、相手側装置の回線が使用中であると判断した場合には（Ｓ３１４：Ｙｅｓ）、送信対象として選択したファイルを、ファクシミリデータメモリ２４ｂに記憶可能かを判断する（Ｓ３１９）。記憶可能か否かは、送信対象として選択したファイルの容量とファクシミリデータメモリ２４ｂの残存容量とを比較して行い、記憶可能であると判断した場合には（Ｓ３１９：Ｙｅｓ）、そのファイルをファクシミリデータメモリ２４ｂに記憶し、相手側装置の回線が使用中であり、ファイルをファクシミリデータメモリ２４ｂに記憶した事をユーザに通知し（Ｓ３２０）、本処理を終了する。これにより、ユーザは、ＵＳＢメモリがなくとも、後で、そのファイルを送信することができると認識することができる。
【００５０】
一方、Ｓ３１９の処理において、ファイルをファクシミリデータメモリ２４ｂに記憶できないと判断した場合には（Ｓ３１９：Ｎｏ）、相手側装置の回線が使用中であり、ファイルをファクシミリデータメモリ２４ｂに記憶できなかった事とをユーザに通知し（Ｓ３２１）、本処理を終了する。これにより、ユーザは、ＵＳＢメモリがなければ、後で、そのファイルを送信することができないことを認識することができる。
【００５１】
このように、ＵＳＢ送信処理によれば、ＵＳＢメモリに記憶されているファイルに対応つけて記憶されている電話番号と、テンキーを介して入力された電話番号とが一致しない場合には（Ｓ３０９：Ｎｏ）、たとえ、ＵＳＢメモリ内のファイルに電話番号が対応つけて記憶されていたとしても、そのファイルは送信されないので、誤った宛先にファイルが送信されるのを抑制することができる。
【００５２】
図４は、再送信処理のフローチャートである。この再送信処理は、ファクシミリデータメモリ２４ｂに記憶されているファイルを送信する処理である。
【００５３】
この処理では、まず、ユーザに電話番号の入力を要求する（Ｓ４０１）。そして、電話番号が入力されたと判断した場合には（Ｓ４０２：Ｙｅｓ）。入力された電話番号と一致する電話番号に対応つけられたファイルがファクシミリデータメモリ２４ｂ内に存在するかを判断する（Ｓ４０４）。
【００５４】
その結果、存在すると判断した場合には（Ｓ４０４：Ｙｅｓ）、一致する電話番号に対応つけられている全てのファイルを相手側装置に送信し（Ｓ４０５）、更に、送信したファイルをファクシミリデータメモリ２４ｂから削除し（Ｓ４０６）、本処理を終了する。尚、Ｓ４０２の処理において、電話番号が入力されないと判断した場合には（Ｓ４０２：Ｎｏ）、本処理を終了する。また、Ｓ４０４の処理において、一致する電話番号が存在しなかった場合には（Ｓ４０４：Ｎｏ）、ユーザに、「入力された電話番号と一致する電話番号に対応つけられたファイルが存在しない」旨をユーザに通知し（Ｓ４０７）、本処理を終了する。
【００５５】
この再送信処理によれば、ファクシミリデータメモリ２４ｂに記憶されたファイルを送信する場合、そのファイルに対応つけられている電話番号が、Ｓ４０４の処理において、入力された電話番号と一致すると判断された場合にだけ送信される。
【００５６】
ここで、ファクシミリデータメモリ２４ｂに記憶されたファイルを送信する場合、再度、電話番号の入力を要求することなく、例えば、ファクシミリデータメモリ２４ｂ内のファイルに対応つけて記憶されている電話番号をＬＣＤ４１に表示し、その中から、ユーザが送信を希望する電話番号をユーザに選択させ、その選択された電話番号にファイルを送信するように構成することも可能である。
【００５７】
しかし、このように構成した場合には、ユーザが誤って電話番号を選択することもあるため、あえて、再度、電話番号の入力を要求し、その入力された電話番号と一致する電話番号に対応つけられたファイルだけを送信することで、誤った宛先にファイルが送信されるのを抑制することができる。
【００５８】
図５は、スキャナ送信処理のフローチャートである。スキャナ送信処理は、スキャナ３によって読み込んだ原稿の情報を、ファクシミリデータとして送信する処理である。
【００５９】
この処理では、まず、ユーザに電話番号の入力を要求する（Ｓ５０１）。ユーザが電話番号を入力する方法としては、テンキーを利用して電話番号を直接入力する方法と、ＬＣＤ４１に表示される宛先メモリ２４ａの電話帳からユーザが所定の電話番号を選択、入力する方法とがある。尚、当然に、表示されている電話帳の宛名を選択し、それによって宛名に対応する電話番号を選択、入力したとしても良い。
【００６０】
そして、電話番号が入力されたと判断した場合には（Ｓ５０２：Ｙｅｓ）、スキャナ３によって原稿に記録されている情報を読取る（Ｓ５０３）。尚、電話番号が入力されなかったと判断した場合には（Ｓ５０２：Ｎｏ）、本処理を終了する。
【００６１】
次に、入力された電話番号がテンキーを利用して直接入力されたか、即ち、入力された電話番号が手入力かを判断する（Ｓ５０４）。その結果、手入力であれば（Ｓ５０４：Ｙｅｓ）、ユーザに電話番号の再入力を要求し（Ｓ５０５）、電話番号が再入力されたと判断した場合には（Ｓ５０５ａ：Ｙｅｓ）、その再入力された電話番号が、Ｓ５０２の処理において最初に入力された電話番号と一致するかを判断する（Ｓ５０６）。尚、電話番号が再入力されなかったと判断した場合には（Ｓ５０５ａ：Ｎｏ）、本処理を終了する。
【００６２】
そして、Ｓ５０６の処理において、両者が不一致であると判断した場合には（Ｓ５０６：Ｎｏ）、ユーザに「電話番号が不一致である」旨を通知し（Ｓ５０７）、更に、最初に入力された電話番号と、再入力された電話番号との両方をＬＣＤ４１に表示する（Ｓ５０８）。尚、この場合には、「表示されている２つの電話番号から、いずれかの電話番号の選択を要求する」旨をユーザに通知する。
【００６３】
その結果、ユーザがどちらかの電話番号を選択したと判断した場合には（Ｓ５０９：Ｙｅｓ）、選択した電話番号によって特定される相手側装置に、Ｓ５０３の処理において読み取った情報をファクシミリデータとして送信し（Ｓ５１０）、本処理を終了する。尚、Ｓ５０９の処理において、電話番号が選択されないと判断した場合には（Ｓ５０９：Ｎｏ）、本処理を終了する。
【００６４】
また、Ｓ５０４の処理において、最初に入力された電話番号が手入力でないと判断した場合（Ｓ５０４：Ｎｏ）、および、Ｓ５０６の処理において再入力された電話番号と、最初に入力された電話番号とが一致すると判断した場合には（Ｓ５０６：Ｙｅｓ）、直ちに、Ｓ５１０の処理に移行し、Ｓ５０３の処理において読み取った情報をファクシミリデータとして送信し（Ｓ５１０）、本処理を終了する。
【００６５】
このスキャナ送信処理によれば、スキャナ３で読み取った原稿の情報は、最初の電話番号の入力が手入力でされた場合には、再度、電話番号を入力させ、最初に入力された電話番号と再入力された電話番号とが一致する場合にファクシミリデータとして送信される。一般的に、ユーザが電話番号を入力する場合、予め記憶されている電話帳から電話番号を選択するよりも、テンキーを利用して電話番号を直接入力した場合に、誤りが発生すること多い。よって、かかる場合にだけ、再度、電話番号を再入力させ、最初に入力された電話番号と再入力された電話番号とが一致するかを確認した上で、ファクシミリデータが送信させるので、誤った宛先にファクシミリデータが送信されるのを抑制することができる。
【００６６】
また、最初に入力された電話番号と、再入力された電話番号とが一致しない場合には、その両方をＬＣＤ４１に表示させ、ユーザが選択した電話番号を宛先としてファクシミリデータを送信するので、いずれの電話番号が正しいのかを確認した上で、正しい宛先にファクシミリデータを送信することができる。
【００６７】
図６は、図５で説明したスキャナ送信処理の第２実施例を示すフローチャートである。第２実施例のスキャナ送信処理も、第１実施例のスキャナ送信処理と同様に、スキャナ３によって読み込んだ原稿の情報を、ファクシミリデータとして送信する処理である。
【００６８】
この処理では、まず、ユーザに電話番号の入力を要求する（Ｓ６０１）。入力する方法としては、上述した２種類の方法がある。そして、電話番号が入力されたと判断した場合には（Ｓ６０２：Ｙｅｓ）、スキャナ３によって原稿に記録されている情報を読取る（Ｓ６０３）。尚、電話番号が入力されなかったと判断した場合には（Ｓ６０２：Ｎｏ）、本処理を終了する。
【００６９】
次に、入力された電話番号がテンキーを利用して直接入力したか、即ち、入力された電話番号が手入力かを判断する（Ｓ６０４）。その結果、手入力であれば（Ｓ６０４：Ｙｅｓ）、ユーザに電話番号の再入力を要求し（Ｓ６０５）、電話番号が再入力されたと判断した場合には（Ｓ６０５ａ：Ｙｅｓ）、その再入力された電話番号が、Ｓ６０２の処理において最初に入力された電話番号と一致するかを判断する（Ｓ６０６）。尚、電話番号が再入力されなかったと判断した場合には（Ｓ６０５ａ：Ｎｏ）、本処理を終了する。
【００７０】
そして、Ｓ６０６の処理において、両者が不一致であると判断した場合には（Ｓ６０６：Ｎｏ）、ユーザに「電話番号が不一致であるため、最初から処理のやり直しを要求」旨を通知し（Ｓ６０７）、Ｓ６０１からの処理を繰り返す。
【００７１】
一方、Ｓ６０４の処理において、最初に入力された電話番号が手入力でないと判断した場合（Ｓ６０４：Ｎｏ）、および、Ｓ６０６の処理において再入力された電話番号と、最初に入力された電話番号とが一致すると判断した場合には（Ｓ６０６：Ｙｅｓ）、Ｓ６０８の処理に移行し、Ｓ６０３の処理において読取った情報をファクシミリデータとして送信し（Ｓ６０８）、本処理を終了する。
【００７２】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００７３】
例えば、上記実施例では、図３において、ＵＳＢメモリに記憶されているファイルをファクシミリデータとして送信するＵＳＢメモリ送信処理について説明したが、ファイルが記憶されている媒体としては、複合機１からファイルを読み出せる外部記憶媒体であれば、ＵＳＢメモリに限定されるものではない。
【００７４】
また、上記実施例の図３に示すＵＳＢメモリ送信処理では、宛先メモリ２３ａに記憶されている電話帳の電話番号の全てについて、ＵＳＢメモリに記憶されているファイルに対応つけて記憶されている電話番号と一致する電話番号があるかを判断したが、予め、電話帳から操作キー４０を介してユーザから指示された電話番号と一致する電話番号に対応つけて記憶されているファイルだけを送信対象ファイルとしても良い。尚、この場合、ＵＳＢメモリに記憶されているファイルに対応つけて、相手側装置の電話番号ではなく、相手側装置の宛名が記憶されていても良い。
【００７５】
また、ＵＳＢメモリから、あらかじめユーザが送信したいファイルを選択し、その選択したファイルに対応付けられて記憶されている電話番号と、操作キーを介してユーザが入力した電話番号とが一致するか判断するようにしてもよい。さらに、その結果、一致しないと判断した場合に、選択されたファイルに対応付けられて記憶されている電話番号と一致する電話番号が、電話帳に記憶されているか判断し、記憶されている場合に、その電話番号を送信先として設定するよう構成してもよい。この場合、ユーザが操作キーを介して入力した電話番号が入力ミスにより間違えた場合であっても、所望の宛先にファクシミリデータを送信することができる。このとき、電話帳にて一致した送信先名をＬＣＤに表示させ、その送信先にファクシミリデータを送信してもよいかをユーザに確認する構成にしてもよい。
【図面の簡単な説明】
【００７６】
【図１】複合機の外観斜視図である。
【図２】複合機の電気的構成を示すブロック図である。
【図３】ＵＳＢメモリ送信処理を示すフローチャートである。
【図４】再送信処理を示すフローチャートである。
【図５】スキャナ処理を示すフローチャートである。
【図６】第２実施例のスキャナ処理を示すフローチャートである。
【符号の説明】
【００７７】
１          複合機（ファクシミリ装置）
２４ａ      宛先メモリ宛先記憶手段
２４ｂ      ファクシミリデータメモリ内部記憶媒体
３１        ＮＣＵ（送信手段の一部）
３２        ＭＯＤＥＭ（送信手段の一部）
４０        操作キー（入力手段の一部）
４１        ＬＣＤ（入力手段の一部、表示手段）
７１        ＵＳＢ端子（接続手段の一部）
Ｓ３０７    請求項１の第１取得手段
Ｓ３０９    第１宛先判断手段
Ｓ３１５    送信制御手段
Ｓ３１５    送信済情報付与手段
Ｓ３１１    第１判断手段
Ｓ３１４    第２判断手段
Ｓ４０２    請求項４の第２取得手段
Ｓ４０４    第２宛先判断手段
Ｓ５０５ａ  請求項５の第２取得手段
Ｓ６０５ａ  請求項５の第２取得手段
Ｓ６０６    確認手段
Ｓ５０１    第１宛先取得手段
Ｓ６０１    第１宛先取得手段
Ｓ５０５ａ  第２宛先取得手段
Ｓ６０５ａ  第２宛先取得手段
Ｓ５０８  宛先表示手段
【図１】
2008141441.tif 000003
【図２】
2008141441.tif 000004
【図３】
2008141441.tif 000005
【図４】
2008141441.tif 000006
【図５】
2008141441.tif 000007
【図６】
2008141441.tif 000008